(57)【要約】【課題】本局と中継局との間での干渉を軽減する同期方法を簡易に且つコスト安に導入可能な極めて実用性に秀れた同期放送システムの提供。【解決手段】ＦＭ放送信号を出力する本局とこの本局からのＦＭ放送信号を同一周波数のまま中継出力する複数の中継局とを有し、前記本局及び前記複数の中継局から出力されるＦＭ放送信号の位相が一致するように、前記本局及び前記複数の中継局からのＦＭ放送信号の位相を夫々所定時間遅延させる位相遅延調整機構を備えた同期放送システム。【選択図】なし【特許請求の範囲】
【請求項１】
ＦＭ放送信号を出力する本局とこの本局からのＦＭ放送信号を同一周波数のまま中継出力する複数の中継局とを有し、前記本局及び前記複数の中継局から出力されるＦＭ放送信号の位相が一致するように、前記本局及び前記複数の中継局からのＦＭ放送信号の位相を夫々所定時間遅延させる位相遅延調整機構を備えたことを特徴とする同期放送システム。
【請求項２】
ＦＭ放送信号を出力する本局とこの本局からのＦＭ放送信号を同一周波数のまま中継出力する複数の中継局とを有し、前記本局からのＦＭ放送信号がこの本局から離れて設置される一の中継局に到達するまでの遅延時間分だけ、前記本局からのＦＭ放送信号の位相を遅延させる位相遅延調整機構を備えたことを特徴とする同期放送システム。
【請求項３】
前記本局から前記一の中継局にＦＭ放送信号が到達するまでの遅延時間から、前記本局から他の前記各中継局にＦＭ放送信号が到達するまでの各遅延時間を引いた分だけ、この各中継局からのＦＭ放送信号の位相を遅延させるように前記位相遅延調整機構を構成したことを特徴とする請求項２記載の同期放送システム。
【請求項４】
前記本局から出力若しくは前記複数の中継局から中継出力されるＦＭ放送信号の音声伝送レベル差が夫々前記本局及び前記中継局の送信機入力において２ｄＢ以内となるように前記本局及び前記各中継局を設定したことを特徴とする請求項１〜３のいずれか１項に記載の同期放送システム。
【請求項５】
ＦＭ放送信号を出力する本局とこの本局からのＦＭ放送信号を同一周波数のまま中継出力する複数の中継局とを有する放送システムにおいて、前記本局からのＦＭ放送信号がこの本局から離れて設置される一の中継局に到達するまでの遅延時間分だけ、前記本局からのＦＭ放送信号の位相を遅延させることを特徴とする同期放送方法。
【請求項６】
前記本局から出力されるＦＭ放送信号が前記各中継局に到達するまでの遅延時間を夫々測定し、前記本局からのＦＭ放送信号がこの本局から離れて設置される前記一の中継局に到達するまでの遅延時間分だけ、前記本局からのＦＭ放送信号の位相を遅延させると共に、前記本局から前記一の中継局にＦＭ放送信号が到達するまでの遅延時間から、前記本局から他の前記各中継局にＦＭ放送信号が到達するまでの各遅延時間を引いた分だけ、この各中継局からのＦＭ放送信号の位相を遅延させることを特徴とする請求項５記載の同期放送方法。
【請求項７】
前記本局から出力若しくは前記複数の中継局から中継出力される前記ＦＭ放送信号の音声伝送レベル差が夫々前記本局及び前記中継局の送信機入力において２ｄＢ以内となるように調整することを特徴とする請求項５，６のいずれか１項に記載の同期放送方法。
【発明の詳細な説明】
【技術分野】
【０００１】
本発明は、同期放送システム並びに同期放送方法に関するものである。
【背景技術】
【０００２】
従来から、ラジオ放送を行うに際し、より広いサービスエリアを得るために、本局（親局）からの放送波を中継する中継局を多数設けた場合に、本局と中継局との間での干渉を軽減するために、本局からの放送波と中継局からの中継波とを同一の周波数で送信する同期放送が知られている。
【０００３】
ところで、この同期放送を行うには、放送波を本局から中継局に、例えば特許文献１に開示されるように光ケーブルを用いてＲＦ信号として伝送したり、ＳＴＬ（Studio to Transmitter Link）を用いて伝送したり、非圧縮のリニア音声信号（Ｌ／Ｒ）で伝送したりする必要がある。
【先行技術文献】
【特許文献】
【０００４】
【特許文献１】特開平８−１６３０６３号公報
【発明の概要】
【発明が解決しようとする課題】
【０００５】
しかしながら、上述したような従来の伝送方法を採用するためには、高価な設備・機材が必要となり、コスト面での負担感が大きく、気軽に導入することはできないのが現状である。
【０００６】
本発明は、上述のような現状に鑑みなされたもので、本局と中継局との間での干渉を軽減する同期方法を簡易に且つコスト安に導入可能な極めて実用性に秀れた同期放送システム並びに同期放送方法を提供するものである。
【課題を解決するための手段】
【０００７】
本発明の要旨を説明する。
【０００８】
ＦＭ放送信号を出力する本局とこの本局からのＦＭ放送信号を同一周波数のまま中継出力する複数の中継局とを有し、前記本局及び前記複数の中継局から出力されるＦＭ放送信号の位相が一致するように、前記本局及び前記複数の中継局からのＦＭ放送信号の位相を夫々所定時間遅延させる位相遅延調整機構を備えたことを特徴とする同期放送システムに係るものである。
【０００９】
また、ＦＭ放送信号を出力する本局とこの本局からのＦＭ放送信号を同一周波数のまま中継出力する複数の中継局とを有し、前記本局からのＦＭ放送信号がこの本局から離れて設置される一の中継局に到達するまでの遅延時間分だけ、前記本局からのＦＭ放送信号の位相を遅延させる位相遅延調整機構を備えたことを特徴とする同期放送システムに係るものである。
【００１０】
また、前記本局から前記一の中継局にＦＭ放送信号が到達するまでの遅延時間から、前記本局から他の前記各中継局にＦＭ放送信号が到達するまでの各遅延時間を引いた分だけ、この各中継局からのＦＭ放送信号の位相を遅延させるように前記位相遅延調整機構を構成したことを特徴とする請求項２記載の同期放送システムに係るものである。
【００１１】
また、前記本局から出力若しくは前記複数の中継局から中継出力されるＦＭ放送信号の音声伝送レベル差が夫々前記本局及び前記中継局の送信機入力において２ｄＢ以内となるように前記本局及び前記各中継局を設定したことを特徴とする請求項１〜３のいずれか１項に記載の同期放送システムに係るものである。
【００１２】
また、ＦＭ放送信号を出力する本局とこの本局からのＦＭ放送信号を同一周波数のまま中継出力する複数の中継局とを有する放送システムにおいて、前記本局からのＦＭ放送信号がこの本局から離れて設置される一の中継局に到達するまでの遅延時間分だけ、前記本局からのＦＭ放送信号の位相を遅延させることを特徴とする同期放送方法に係るものである。
【００１３】
また、前記本局から出力されるＦＭ放送信号が前記各中継局に到達するまでの遅延時間を夫々測定し、前記本局からのＦＭ放送信号がこの本局から離れて設置される前記一の中継局に到達するまでの遅延時間分だけ、前記本局からのＦＭ放送信号の位相を遅延させると共に、前記本局から前記一の中継局にＦＭ放送信号が到達するまでの遅延時間から、前記本局から他の前記各中継局にＦＭ放送信号が到達するまでの各遅延時間を引いた分だけ、この各中継局からのＦＭ放送信号の位相を遅延させることを特徴とする請求項５記載の同期放送方法に係るものである。
【００１４】
また、前記本局から出力若しくは前記複数の中継局から中継出力される前記ＦＭ放送信号の音声伝送レベル差が夫々前記本局及び前記中継局の送信機入力において２ｄＢ以内となるように調整することを特徴とする請求項５，６のいずれか１項に記載の同期放送方法に係るものである。
【発明の効果】
【００１５】
本発明は上述のように構成したから、本局と中継局との間での干渉を軽減する同期方法を簡易に且つコスト安に導入可能な極めて実用性に秀れた同期放送システム並びに同期放送方法となる。
【発明を実施するための形態】
【００１６】
好適と考える本発明の実施形態（発明をどのように実施するか）を、本発明の作用を示して簡単に説明する。
【００１７】
本局からＦＭ放送信号を出力すると共に、中継局からＦＭ放送信号を同一周波数のまま中継出力する際、本局及び中継局から出力されるＦＭ放送信号の位相を遅延調整して本局及び中継局から出力されるＦＭ放送信号の（絶対）位相を一致させることで、同期放送を行うことができる。
【００１８】
即ち、本局から出力されるＦＭ放送信号が中継局に伝達されるまでには所定の時間がかかり、この到達までにかかる遅延時間分だけ中継局から遅れてＦＭ放送信号が中継出力されるため、この中継局から中継出力されるＦＭ放送信号は、本局から出力されるＦＭ放送信号に比し位相が送れた状態となっているが、例えば、本局からのＦＭ放送信号が最も遅く到達する中継局での遅延時間を基準として本局及び他の中継局からのＦＭ放送信号の位相を夫々遅延調整することで、位相（タイミング）を一致させた形で出力することが可能となり、音声フェーズのズレが歪となることを防止し、本局と中継局との間での干渉を軽減することが可能となる。
【００１９】
具体的には、例えば、本局から出力されるＦＭ放送信号が各中継局に到達するまでの遅延時間を夫々測定し、本局からのＦＭ放送信号がこの本局から離れて設置される一の中継局に到達するまでの遅延時間分だけ、本局からのＦＭ放送信号の位相を遅延させると共に、本局から前記一の中継局にＦＭ放送信号が到達するまでの遅延時間から、前記本局から他の前記各中継局にＦＭ放送信号が到達するまでの各遅延時間を引いた分だけ、この各中継局からのＦＭ放送信号の位相を遅延させることで、各局からのＦＭ放送信号の位相を一致させることが可能となる。
【００２０】
また、各局から出力されるＦＭ放送信号の位相を一致させることで、位相が一致していない場合には干渉が生じ、明瞭な受信ができなかった場所において、明瞭に受信可能となるのは勿論、各局の相乗効果により一層明瞭に受信することも可能となる。
【００２１】
また、例えば、本局から出力若しくは複数の中継局から中継出力されるＦＭ放送信号の音声伝送レベル差が夫々本局及び中継局の送信機入力において２ｄＢ以内となるように調整することで（好ましくは同レベルとすることで）、一層明瞭な音声を受信機にて受信可能となる。
【実施例】
【００２２】
本発明の具体的な実施例について説明する。
【００２３】
本実施例は、ＦＭ放送信号を出力するＦＭ送信機を備えた本局とこの本局からのＦＭ放送信号を受信し同一周波数のまま増幅して送信する所謂中継出力を行う複数の中継局とを有し、前記本局及び前記複数の中継局から出力されるＦＭ放送信号の位相が一致するように、前記本局及び前記複数の中継局からのＦＭ放送信号の位相を夫々所定時間遅延させる位相遅延調整機構を備えたものである。
【００２４】
本実施例においては、位相遅延調整機構は、ローランド(株)製「ＤＬ−２０４０」マルチチャンネルディレイライン（時系列的に入力される入力信号を遅延させて出力可能な遅延調整装置）で構成している。
【００２５】
具体的には、この遅延調整装置を本局及び各中継局に夫々設置し、各局においてＦＭ放送信号の位相の遅延調整設定ができるように構成している。尚、遅延調整装置を本局に設置することで、中継局全てにおける位相遅延調整を本局（スタジオ）から行うことも可能となる。
【００２６】
また、ＦＭ送信機としては、順次、音声増幅器、ＩＤＣ（瞬間周波数偏移制限器）回路、水晶発振器が接続される周波数変調器、周波数逓倍器、電力増幅器、空中線（アンテナ）と接続される一般的なものを採用している。入力信号は遅延調整装置を介してこのＦＭ送信機に入力される。尚、受信機としては、順次、アンテナ、高周波増幅器、局部発振器が接続される周波数混合器、中間周波増幅器、振幅制限器、検波器（復調器）、低周波増幅器、スピーカと接続される一般的なものを採用する。
【００２７】
また、本実施例においては、可及的に精密な同期設定を行うため、各局に設けるＦＭ送信機及びこのＦＭ送信機に設けられるバンドパスフィルタとを、夫々同一メーカーの同一機種（型番）としている。
【００２８】
本実施例においては、本局から出力されるＦＭ放送信号が各中継局に到達するまでの遅延時間を夫々測定し、本局のディレイ（本局から出力されるＦＭ放送信号の位相）を、予め最遠方局（最も遅く本局からのＦＭ放送信号が到達する中継局）の伝送路（無線伝送路）の遅延を考慮し、その遅延時間（例えば１５００μｓ）に応じて所定時間（１５００μｓ）遅らせて設定し、また、各中継局における遅延設定は、最遠方局における遅延時間（１５００μｓ）から、他の各中継局の遅延時間（本局からのＦＭ放送信号が到達するまでに要する時間、例えば５００μｓ）を引いた時間（１０００μｓ）分だけ各中継局からのＦＭ放送信号の位相を遅延させ、各局から出力されるＦＭ放送信号の位相差が可及的に少なくなるように設定調整する。これにより音声フェーズのズレが歪となることが防止できることを確認した。
【００２９】
更に、同期設定地点（各局間で干渉が生じると思われる地点）に夫々受信アンテナ、受信機、２現象のオシロスコープを設置し、このオシロスコープで波形を確認し本局と連絡を取りながらディレイを微調整し同期を最良に設定することで、一層良好に音声フェーズのズレが歪となることを防止でき、調整なしでは干渉が生じると思われる地点においても雑音なく良好にＦＭ放送信号を受信することが可能となる。更に同一波形が送信されることで相乗効果により増幅され一層良好に受信可能となる。
【００３０】
また、本局及び各中継局の音声伝送レベルは、マイクからの音声信号や本局からのＦＭ放送信号が送信機への入力時点において夫々同一レベルとなるように設定調整することで（少なくとも各局で差が２ｄＢ以内となるように設定する。）、一層明瞭な音声を受信機にて受信可能となる。音声レベル差が大きくなる程ホワイトノイズが増大するからである。尚、Ｄ／Ｕ比が４以上であれば雑音なく充分ステレオ受信をすることが可能であるが、８以上であることが望ましい。
【００３１】
従って、例えば既存の本局及び中継局に遅延調整装置を取り付ける際、各中継局において音声レベル及び周波数が本局と同一となるように事前に調整設定して伝送路のディレイを調整することで容易に適用することができる。
【００３２】
よって、本実施例は、本局と中継局との間での干渉を軽減する同期方法（各アンテナ間で送信周波数、変調度、遅延時間の同一な同期放送）を簡易に且つコスト安に導入可能となり、周波数の有効利用が可能となる等、極めて実用性に秀れたものとなる。
【００３３】
尚、本発明は、本実施例に限られるものではなく、各構成要件の具体的構成は適宜設計し得るものである。